(57)【要約】【課題】  撮影時のフィット感や安定感を向上させ、多様な撮影姿勢に対応できる操作性の良いカメラショルダーパッドを提供することを目的とするものである。【解決手段】  芯材１１に弾性のパッド部材１２を備えたカメラ用ショルダーパッド１０であり、パッド部材１２の底面１０ｂの長手方向両端縁を凸条部１０ｃ，１０ｄとし、両端縁の凸条部１０ｃ，１０ｄによる凹状溝１０ｅを形成したカメラ用ショルダーパッドである。【選択図】    図１
2006129146.tif 000002
【特許請求の範囲】
【請求項１】
芯材に弾性のパッド部材を備えたカメラ用ショルダーパッドにおいて、
前記パッド部材の底面長手方向の両端縁を凸条部とし、該両端縁の凸条部による凹状溝を該パッド部材の底面に形成したことを特徴とするカメラ用ショルダーパッド。
【請求項２】
前記両端縁の凸条部は、撮影者がビデオカメラ装置を肩に担いだ際に外側に位置する凸条部を、内側に位置する凸条部よりも突出させたことを特徴とする請求項１に記載のカメラ用ショルダーパッド。
【請求項３】
前記内側に位置する凸条部の湾曲部の曲率半径は、前記外側に位置する凸条部の湾曲部の曲率半径より大きいことを特徴とする請求項１又は２に記載のカメラ用ショルダーパッド。
【発明の詳細な説明】
【技術分野】
【０００１】
本発明は、ハンディー型ビデオカメラ装置のショルダーパッドに関し、撮影時のフィット感や安定感を高め、操作性を改善して多様な撮影姿勢に対応できるカメラ用ショルダーパッドに関するものである。
【背景技術】
【０００２】
ハンディー型ビデオカメラ装置は、撮影者が肩に担いで撮影するのが通常の撮影姿勢である。このようなことからビデオカメラ装置の底部には弾力性のあるショルダーパッドが用いられ、ショルダーパッドにより肩とのフィット感、或いは担いだ時の安定感を高めるようにしている。弾力性を与える柔軟性物質としては、例えばウレタンフォームにより成形したものを利用したり、プラスチック材の粉体或いはシリコンのゲル状体を利用してこの柔軟性物質を表皮で覆ったものがある。（例えば、特許文献１を参照）。
【０００３】
【特許文献１】特開２０００−２１７０２０号公報（明細書段落〔００１５〕〜〔００２１〕，図面図１）
【発明の開示】
【発明が解決しようとする課題】
【０００４】
近年、ハンディー型ビデオカメラ装置は、撮影姿勢が肩に担ぐ通常の撮影姿勢だけでなく、ビデオカメラ装置を脇に抱えて撮影したり、超ローアングルから撮影する等、撮影スタイルが多様化している。ビデオカメラ装置を脇に抱える撮影姿勢や超ローアングルからの撮影では、ビデオカメラ装置の底部に手を掛け、ビデオカメラ装置を支えて撮影することになる。ビデオカメラ装置の底部にはショルダーパッドが装着され、ショルダーパッドに手を掛けて撮影することになるが、ショルダーパッドは本来、肩とのフィット感、或いは安定感を高めるために設けられており、必ずしも手を掛けて撮影する撮影姿勢に適した構造とは成っていないのが実情である。
【０００５】
また、ショルダーパッドは、肩へのフィット感或いは担いだ時の安定感を維持しつつ、多様化する撮影姿勢に対応し得る構造とする必要がある。フィット感の改善には、主にショルダーパッドの材質の硬さとその形状の２つの要素を考慮する必要がある。図４（ａ）〜（ｄ）は、ビデオカメラ装置１（カメラ本体２とショルダーパッド３）を担いだ際の概略断面図であるが、ビデオカメラ装置１を担いだ際のショルダーパッド３の断面形状は多種なものがあり、殊に、ショルダーパッドの材質に硬いウレタンパッドを使用した場合、図４（ａ），（ｄ）ではフィット感も安定性も高いが、図４（ｃ）ではフィット感も安定性も悪く、また、図４（ｂ）ではフィット感は悪いが、安定性は良い。このように万人の肩の形状に合わせることは困難である。そこで、ショルダーパッドのウレタンを柔らかなものにして、どのような肩の形状にも馴染むようにし、フィット感を高める方法が知られている。しかし、柔らか過ぎると、ビデオカメラ装置を担いだ際の安定感が損なわれる。そこで、安定感を改善するため、柔らかく粘りのある材料、例えばプラスチック材の粉体やシリコンのゲル状体を用いる方法もあるが、重量が増えてしまう。さらに柔らかさと安定感と軽量を兼ね備えた低反発のウレタンなども用いるが、これは低温で硬くなるという欠点がある。
【０００６】
また、従来のショルダーパッドは、主にフィット感と安定感を考慮したものではあったが、近年の多様な撮影姿勢に対応し得るものではなかった。図５の撮影姿勢では、床面付近にビデオカメラ装置１を所定仰角で支持して撮影する場合を示しており、このような撮影姿勢では、撮影者の手をショルダーパッド３に掛けて撮影することになり、ビデオカメラ装置１の支持が不安定になるおそれがあった。また、図６の撮影姿勢では、ビデオカメラ装置１を抱えて超ローアングルによる撮影の場合を示しており、このような撮影姿勢においても同様に手をカメラ本体２の底部に掛けるようにして抱きかかえて撮影をすることになる。図５，図６の撮影姿勢では、ショルダーパッド３に指を掛ける部分がなく、ビデオカメラ装置１の支持が不安定になり易く、被写体を捉える操作性が必ずしも良好でないといった欠点があり、改善の余地があった。また、ショルダーパッドの材質が柔らかな質では、手でショルダーパッドを握ってビデオカメラ装置を支持しできる程度の硬度は無かった。
【０００７】
本発明は、上記のような課題に鑑みなされたものであり、撮影時のフィット感や安定感を向上させ、多様な撮影姿勢に対応できる操作性の良いカメラ用ショルダーパッドを提供することを目的とするものである。
【課題を解決するための手段】
【０００８】
本発明は、上記課題を解決したものであり、請求項１の発明は、芯材に弾性のパッド部材を備えたカメラ用ショルダーパッドにおいて、前記パッド部材の底面長手方向の両端縁を凸条部とし、該両端縁の凸条部による凹状溝を該パッド部材の底面に形成したことを特徴とするカメラ用ショルダーパッドである。
【０００９】
また、請求項２の発明は、前記両端縁の凸条部は、撮影者がビデオカメラ装置を肩に担いだ際に外側に位置する凸条部を、内側に位置する凸条部よりも突出させたことを特徴とする請求項１に記載のカメラ用ショルダーパッドである。
【００１０】
また、請求項３の発明は、前記内側に位置する凸条部の湾曲部の曲率半径は、前記外側に位置する凸条部の湾曲部の曲率半径より大きいことを特徴とする請求項１又は２に記載のカメラ用ショルダーパッドである。
【発明の効果】
【００１１】
本発明の効果について以下に説明する。請求項１の発明では、芯材に弾性のパッド部材を備えたカメラ用ショルダーパッドにおいて、前記パッド部材の底面長手方向の両端縁を凸条部とし、該両端縁の凸条部による凹状溝を該パッド部材の底面に形成したことを特徴とするカメラ用ショルダーパッドであるので、凸条部に手を掛け指を凹状溝に差し入れてビデオカメラ装置を支持し、超ローアングルから撮影する種々な撮影姿勢、或いはビデオカメラ装置を脇に抱えた撮影姿勢等に対応することができる利点がある。また、ショルダーパッドの底面に形成された凸条部と凹状溝とにより、ショルダーパッドの弾性部材の弾力性を極端に柔軟な部材を用いることなく、適度な硬さを保持し、しかも肩にフィットするショルダーパッドを提供することが可能になった。また、パッド部材が最適な硬さを保持することによって、凹状溝に指を掛けて凸条部を握ってビデオカメラ装置を支持する際に最適な構造とすることができる利点がある。
【００１２】
また、請求項２の発明では、前記両端縁の凸条部が、撮影者がビデオカメラ装置を肩に担いだ際に外側に位置する凸条部を、内側に位置する凸条部よりも突出させたことを特徴とする請求項１に記載のカメラ用ショルダーパッドであるので、内側に位置する凸条部が、肩から首の部分に接触するようにしたので、フィット感が増し、ビデオカメラ装置を支持した際の安定感が向上し、しかも外側に位置する凸条部を高くしたので、指を掛けてビデオカメラ装置を支持するのに都合が良い利点がある。
【００１３】
また、請求項３の発明では、前記内側に位置する凸条部の湾曲部の曲率半径は、前記外側に位置する凸条部の湾曲部の曲率半径より大きいことを特徴とする請求項１又は２に記載のカメラ用ショルダーパッドであるので、内側に位置する凸条部の湾曲部の曲率半径を大きくして、肩から首にかけて接触感が良好となり、フィット感が増し、ビデオカメラ装置を支持した際の安定感が向上する利点がある。
【発明を実施するための最良の形態】
【００１４】
以下、本発明に係るカメラ用ショルダーパッドの実施の形態について図面を参照して説明する。なお、図１（ａ）はカメラ用ショルダーパッドの一実施形態を示す斜視図であり、同図（ｂ）はその底面図であり、同図（ｃ）はそのＡ−Ａ矢視断面図である。図２（ａ）はビデオカメラ装置の通常の撮影姿勢を示す側面図であり、同図（ｂ）は肩への接触部分を示す拡大図である。図３（ａ），（ｂ）は他の撮影姿勢を示す説明図である。
【００１５】
本実施形態のカメラ用ショルダーパッドは、ビデオカメラ装置の底面に装着される。図１（ａ）〜（ｃ）はカメラ用ショルダーパッドを示し、ショルダーパッド１０は芯材１１に弾性のパッド部材１２を備え、パッド部材１２の形状を保持する表皮１３が芯材１１及びパッド部材１２を被覆している。パッド部材１２は、例えば発泡性樹脂であるウレタンフォームが使用される。ショルダーパッド１０にはネジ１５が挿通されるスリーブ管１４が芯材１１に固定され、ビデオカメラ装置のカメラ底面にショルダーパッド１０の上面１０ａ側を向けて装着し、底面１０ｂ側からスリーブ管１４にネジ１５を挿通し、カメラ底面のネジ部に螺合し、ショルダーパッド１０をカメラ底面に固定する。
【００１６】
ショルダーパッド１０には、底面１０ｂの長手方向両側縁に凸条部１０ｃ，１０ｄが設けられ、凸条部１０ｃ，１０ｄによる凹状溝１０ｅが設けられている。凹状溝１０ｅは光軸方向に沿って形成され、凹状溝１０ｅの深さＤは、少なくとも指の第１及び第２関節が十分に差し込める程度の深さとする。例えば、深さＤは、１０〜３０ｍｍの範囲とする。凹状溝１０ｅの深さが、１０ｍｍ以下とすると指の掛合が不十分であるし、３０ｍｍ以上の深さとするとパッド部分１２の強度に問題が生じるが、芯材１１の構造によっては３０ｍｍ以上の深さとすることができる。また、凸条部１０ｄは凸条部１０ｃよりも僅かに下方に突出している。なお、凸条部１０ｄの突出寸法Ｔは１〜１０ｍｍ程度であり、このように突出寸法Ｔの異なる数種のショルダーパッドを用意し、撮影者の好みに応じて選択できるようにしてもよい。
【００１７】
図２（ａ）は、本実施形態のショルダーパッド１０をカメラ筐体底部２０ａに装着し、このビデオカメラ装置を撮影者が肩に担いで撮影する際の通常の撮影姿勢を示している。ビデオカメラ装置２０を肩に担いだ際、図２（ｂ）に示すように、ショルダーパッド１０の凸条部１０ｄが撮影者の腕側（外側）に、凸条部１０ｃが首側（内側）の位置になる。また、ショルダーパッド１０の凸条部１０ｃ，１０ｄの長手方向外側縁は湾曲し、外側角部Ｒ１の曲率半径は、凸条部１０ｄの外側角部Ｒ２の曲率半径に対して大きくして、ビデオカメラ装置２０を肩に担いだ際のフィット感を高め、ビデオカメラ装置２０を支持した際の安定感が増すようにしている。また、撮影者の好みに応じて外側角部Ｒ１の曲率半径を選択することができる。
【００１８】
図３（ａ），（ｂ）は、本実施形態のショルダーパッド１０を装着したビデオカメラ装置２０の撮影姿勢を示している。図３（ａ）は、ビデオカメラ装置２０を脇に抱えた撮影姿勢を示し、この撮影姿勢ではビデオカメラ装置２０を脇に抱え、左手を撮像レンズに添えて支持し、右手をショルダーパッド１０の底部の凹状溝１０ｅに掛け、右手の指の第１〜第２関節と手のひらで凸条部１０ｄを握り、ビデオカメラ装置２０を強固に支持することができ、ビデオカメラ装置２０の支持が安定する。この安定した撮影姿勢で撮像レンズの仰角或いは俯角を調整して撮影することができる。
【００１９】
図３（ｂ）は、超ローアングルの撮影姿勢を示しており、撮影者の左手でビデオカメラ装置２０のグリップを保持し、右手の指をショルダーパッド１０の凹状溝１０ｅに掛けて右手で凸条部１０ｄを握るように支持しながら抱えてビデオカメラ装置２０を支持し、撮影する。この撮影姿勢ではビデオカメラ装置２０の撮像レンズを略真上に向けて撮影することが可能である。このようにショルダーパッド１０に光軸方向に添った凹状溝１０ｅを形成することによって、撮影者は、多種多様な撮影姿勢でビデオカメラ装置２０を支持し、安定した撮影姿勢で撮影することが可能である。
【００２０】
なお、上記実施形態において、ショルダーパッドに光軸方向に添った凹状溝１０ｅを形成したが、この実施形態に限定することなく、ショルダーパッドの凹状溝１０ｅの側面に横方向の窪み（図示なし）を設け、その窪みに指を掛けて、凸条部１０ｄを握りながらビデオカメラ装置の強固に支持し、ビデオカメラ装置２０の影姿勢を安定させるようにしてもよい。
【００２１】
また、上記実施形態において、ショルダーパッド１０に光軸方向に添った凹状溝１０ｅは、凸条部１０ｃ，１０ｄを平行に設けられているが、必ずしも平行にする必要はなく、ショルダーパッド１０の長手方向外側面は略平行とし、凹状溝１０ｅの長手方向側壁面間の幅を、前方（撮像レンズ側）を広くし後方を狭めたテーパー状としてもよいし、またはショルダーパッドの凹状溝の前方（撮像レンズ側）を指の第４関節までが挿入できる程度に開口したものとしてもよい。
【００２２】
また、上記実施形態において、芯材１１をショルダーパッド１０の上面１０ａにのみ設けたが、芯材１１は必要な強度を得るための部材であり、この実施形態に限定することなく、必要に応じて形状を変更することができ、例えば、上面１０ａの形状をビデオカメラ装置の底面形状に合わせて任意の形状とすることができる。
【産業上の利用可能性】
【００２３】
本発明の活用例としては、ビデオカメラ装置などのカメラ用ショルダーパッドとして利用することができるし、ビデオカメラ装置の把持用具として利用することができる。
【図面の簡単な説明】
【００２４】
【図１】（ａ）はカメラ用ショルダーパッドの一実施形態を示す斜視図であり、同図（ｂ）はその底面図であり、同図（ｃ）はそのＡ−Ａ矢視断面図である。
【図２】（ａ）はビデオカメラ装置の通常の撮影姿勢を示す側面図であり、同図（ｂ）は肩への接触部を示す拡大図である。
【図３】（ａ）はビデオカメラ装置を脇に抱えた撮影姿勢を示す図であり、（ｂ）は超ローアングルによる撮影姿勢を示す図である。
【図４】（ａ）〜（ｄ）は、従来のショルダーパッドの形状を示す図である。
【図５】ローアングルによる撮影姿勢を示す図である。
【図６】ビデオカメラ装置の他の撮影姿勢を示す図である。
【符号の説明】
【００２５】
１０  ショルダーパッド
１０ａ  ショルダーパッドの上面
１０ｂ  ショルダーパッドの底面
１０ｃ，１０ｄ  凸条部
１０ｅ  凹状の溝
１０ｆ  貫通孔
１１  芯材
１２  パッド部材
１３  表皮
１４  スリーブ管
２０  ビデオカメラ装置
２０ａ  カメラ本体
【図１】
2006129146.tif 000003
【図２】
2006129146.tif 000004
【図３】
2006129146.tif 000005
【図４】
2006129146.tif 000006
【図５】
2006129146.tif 000007
【図６】
2006129146.tif 000008